(57)【要約】【課題】  本願発明は、複数の消費電力が異なる複数のフェーズを有する無線電力伝送システムにおいて、１台の送電装置が複数の受電装置に送電を行う場合の問題を解決することを目的とする。【解決手段】  本発明に係る無線電力伝送装置は、他の装置と無線電力伝送するための第１アンテナ部と、前記第１アンテナ部と異なる第２アンテナ部を含み、前記第１アンテナ部を介して受電した電力を用いて前記他の装置と無線電力伝送における認証を行うための通信を行う通信手段と、前記第１アンテナ部を介して受電した電力を用いて動作する負荷と、前記第１アンテナ部に接続され、インピーダンス変換を行う変換手段と、前記変換手段は、前記通信手段により前記認証のための通信中は前記通信手段において消費する電力に応じたインピーダンス変換を行い、前記認証が成功した場合、前記負荷が消費する電力に応じたインピーダンス変換を行うことを特徴とする。【選択図】  図５
2015008619.tif 000002
【特許請求の範囲】
【請求項１】
無線電力伝送装置であって、
他の装置と無線電力伝送するための第１アンテナ部と、
前記第１アンテナ部と異なる第２アンテナ部を含み、前記第１アンテナ部を介して受電した電力を用いて前記他の装置と無線電力伝送における認証を行うための通信を行う通信手段と、
前記第１アンテナ部を介して受電した電力を用いて動作する負荷と、
前記第１アンテナ部に接続され、インピーダンス変換を行う変換手段と、
前記変換手段は、前記通信手段により前記認証のための通信中は前記通信手段において消費する電力に応じたインピーダンス変換を行い、前記認証が成功した場合、前記負荷が消費する電力に応じたインピーダンス変換を行うことを特徴とする無線電力伝送装置。
【請求項２】
前記第１アンテナ部を介して受電した電力を前記負荷に供給するか否かを切替える切替手段と、を更に有し、
前記切替手段は、前記通信手段により前記認証を行うための通信中は前記負荷に前記第１アンテナ部を介して受電した電力を供給せず、前記認証が成功した場合、前記負荷に前記第１アンテナ部を介して受電した電力を供給することを特徴とする請求項１に記載の無線電力伝送装置。
【請求項３】
前記変換手段は、複数のインピーダンス変換回路と前記第１アンテナ部との接続を切替えることで、インピーダンス変換を行うことを特徴とする請求項１または２に記載の無線電力伝送装置。
【請求項４】
前記通信手段が消費する電力より前記負荷が消費する電力の方が大きいことを特徴とする請求項１乃至３何れか１項に記載の無線電力伝送装置。
【請求項５】
前記負荷は、前記第１アンテナ部を介して受電した電力を蓄電するバッテリを含むことを特徴とする請求項１乃至４何れか１項に記載の無線電力伝送装置。
【請求項６】
他の装置と無線電力伝送するための第１アンテナ部と、
前記第１アンテナ部と異なる第２アンテナ部を含み、前記第１アンテナ部を介して受電した電力を用いて前記他の装置と無線電力伝送における認証を行うための通信を行う通信手段と、
前記第１アンテナ部を介して受電した電力を用いて動作する負荷と、
前記第１アンテナ部に接続され、インピーダンス変換を行う変換手段と、
を有する無線電力伝送装置の制御方法であって、
前記通信手段により前記認証のための通信中は前記通信手段において消費する電力に応じたインピーダンス変換を行い、前記認証が成功した場合、前記負荷が消費する電力に応じたインピーダンス変換を行うように前記変換手段を制御する制御工程を有することを特徴とする無線電力伝送装置の制御方法。
【請求項７】
前記第１アンテナ部を介して受電した電力を前記負荷に供給するか否かを切替える切替工程と、を更に有し、
前記切替工程において、前記通信手段により前記認証を行うための通信中は前記負荷に前記第１アンテナ部を介して受電した電力を供給せず、前記認証が成功した場合、前記負荷に前記第１アンテナ部を介して受電した電力を供給することを特徴とする請求項６に記載の無線電力伝送装置の制御方法。
【請求項８】
前記変換手段は、複数のインピーダンス変換回路と前記第１アンテナ部との接続を切替えることで、インピーダンス変換を行うことを特徴とする請求項６または７に記載の無線電力伝送装置の制御方法。
【請求項９】
前記通信手段が消費する電力より前記負荷が消費する電力の方が大きいことを特徴とする請求項６乃至８何れか１項に記載の無線電力伝送装置の制御方法。
【請求項１０】
前記負荷は、前記第１アンテナ部を介して受電した電力を蓄電するバッテリを含むことを特徴とする請求項６乃至９何れか１項に記載の無線電力伝送装置の制御方法。
【請求項１１】
請求項６乃至１０何れか１項に記載の制御方法をコンピュータに実行させるためのプログラム。
【発明の詳細な説明】
【技術分野】
【０００１】
本発明は、無線電力伝送技術に関する。
【背景技術】
【０００２】
無線電力伝送技術には、磁界の共鳴現象を用いる磁界共鳴方式がある。磁界共鳴方式では、アンテナによるが、数ｃｍ〜１０ｃｍの伝送が可能であるため装置間の配置の自由度が高まる。また、磁界共鳴方式を用いると１台の送電装置が複数の受電装置に送電を行うこともできる。磁界共鳴方式は、送電装置に備えられた共振回路と、受電装置に備えられた共振回路との間の磁場の共鳴（共振）による結合によって電力を伝送する方式である。磁界共鳴方式において、送電効率を高めるためには、装置間のインピーダンスを適切にする必要がある。特許文献１においては、送受電アンテナの距離に応じてマッチング回路（共振回路）のインピーダンスを制御している。特許文献２においては、受電装置がマッチング回路のインピーダンス制御が可能かどうかによって送電装置側でのマッチング回路のインピーダンス制御方法を切り替えるものである。特許文献３においては、送電装置と受電装置との間で同期して共振周波数およびインピーダンスを切り替えて、第三者が受ける電力を低下させるものである。
【０００３】
また、非特許文献１は、電磁誘導現象を用いる電磁誘導方式を用いた１対１の装置間における無線電力伝送において、スタートフェーズ、認証フェーズ、受電（送電）フェーズの３つの状態を定義している。スタートフェーズは、送電装置と受電装置との間で電力の送受が行われていない状態である。認証フェーズでは、送電装置は受電装置に対して後述する受電（送電）フェーズにおける送電電力より小さい電力により受電装置に送電を行う。送電装置および受電装置が互いの装置を検出した場合認証フェーズに移行する。認証フェーズでは、受電装置は、送電装置から給電された電力を通信部に供給することで該通信部を動作させ、該通信部を介して送電装置と機器認証のための通信を行う。認証フェーズでは、受電装置の消費電力は主に通信部により消費される電力である。送電装置および受電装置は、認証フェーズにおける認証が成功した場合、受電（送電）フェーズに移行する。受電（送電）フェーズでは、送電装置は受電装置に対して認証フェーズにおける送電電力より大きい電力により受電装置に送電を行う。受電（送電）フェーズでは、受電装置は、送電装置から給電された電力を負荷に供給し、例えばバッテリを充電することに受電した電力を用いる。受電（送電）フェーズでは、受電装置の消費電力は主に負荷により消費される電力である。
【０００４】
このような、１対１の装置間における無線電力伝送では回路規模を考慮して受電（送電）フェーズでの伝送効率を最適にするようにインピーダンスを設定し、各フェーズにおいて最適となるインピーダンス制御を行わないことが一般的である。
【先行技術文献】
【特許文献】
【０００５】
【特許文献１】特開２０１１−１４２７６３
【特許文献２】特開２０１１−１９３６１９
【特許文献３】特開２０１２−１３５１２７
【非特許文献】
【０００６】
【非特許文献１】Ｓｙｓｔｅｍ  Ｄｅｓｃｒｉｐｔｉｏｎ  Ｗｉｒｅｌｅｓｓ  Ｐｏｗｅｒ  Ｔｒａｎｓｆｅｒ  Ｖｏｌｕｍｅ  Ｉ．  Ｌｏｗ  Ｐｏｗｅｒ  Ｐａｒｔ  １：  Ｉｎｔｅｒｆａｃｅ  Ｄｅｆｉｎｉｔｉｏｎ  Ｖｅｒｓｉｏｎ  １．１．１  Ｊｕｌｙ  ２０１２
【発明の概要】
【発明が解決しようとする課題】
【０００７】
非特許文献１のように複数のフェーズを有する無線電力伝送システムを１台の送電装置が複数の受電装置に送電を行う場合に適用することを考える。この場合、送電装置が第１受電装置に受電（送電）フェーズにおいて送電を行っている際に、スタートフェーズ又は認証フェーズの第２受電装置をユーザが送電装置上に置いてしまうことが考えられる。上述のように各フェーズにおいて第１および第２受電装置における消費電力は異なる。この場合、受電（送電）フェーズの第１受電装置は、受電した電力をバッテリ等の比較的低いインピーダンス負荷に供給している。一方、スタートフェーズ又は認証フェーズの第２受電装置は、通信部における消費電力のみであり、第１受電装置の消費電力より低い。第２受電装置は、上述のように回路規模を考慮して受電（送電）フェーズで最適となるインピーダンス制御を行っている。送電装置側からみた第１及び第２受電装置のインピーダンスの値が同じになり、送電装置からの送電電力を半分ずつ第１および第２受電装置が夫々受ける。このとき、第２受電装置は、認証フェーズのため消費電力が小さいため、受ける電力に対し、消費電力が少なくないため電流が小さい。したがって、第２受電装置の内部回路の一部で電圧が上昇することになる。例えば、第１受電装置の負荷の消費電力が５Ｗで、送電装置が５Ｗ送電している際に、第２受電装置が置かれた場合、第１および第２受電装置は夫々２．５Ｗ受け取る。第２受電装置は、認証フェーズの認証のため０．５Ｗ消費する場合、残りの２Ｗ分が内部回路の電圧値を上昇させてしまう要因となる。このため内部回路の一部が、耐圧の低い部品であれば、装置の故障が生じる恐れがある。このように各フェーズにおいて送電装置の出力電力および受電装置の消費電力が異なる非特許文献１のような１対１間の無線電力伝送における技術を１対多間の無線電力伝送に適用する場合意図していない問題が生じる可能性があった。例えば、第１受電装置に送電中の送電装置に第２受電装置を置くと、第２受電装置が故障してしまう恐れがあった。
【０００８】
本願発明は、消費電力が異なる複数のフェーズを有する無線電力伝送システムにおいて、１台の送電装置が複数の受電装置に送電を行う場合の問題を解決することを目的とする。
【課題を解決するための手段】
【０００９】
上述の課題を解決するために本発明に係る無線電力伝送装置は、
他の装置と無線電力伝送するための第１アンテナ部と、
前記第１アンテナ部と異なる第２アンテナ部を含み、前記第１アンテナ部を介して受電した電力を用いて前記他の装置と無線電力伝送における認証を行うための通信を行う通信手段と、
前記第１アンテナ部を介して受電した電力を用いて動作する負荷と、
前記第１アンテナ部に接続され、インピーダンス変換を行う変換手段と、
前記変換手段は、前記通信手段により前記認証のための通信中は前記通信手段において消費する電力に応じたインピーダンス変換を行い、前記認証が成功した場合、前記負荷が消費する電力に応じたインピーダンス変換を行うことを特徴とする。
【発明の効果】
【００１０】
本願発明は、消費電力が異なる複数のフェーズを有する無線電力伝送システムにおいて、１台の送電装置が複数の受電装置に送電を行う場合の問題を解決することができる。
【図面の簡単な説明】
【００１１】
【図１】本実施例における受電装置の状態遷移図である。
【図２】本実施例１における受電装置のブロック図である。
【図３】本実施例２における受電装置のブロック図である。
【図４】本実施例における変換部２０２の内部構成ブロック図である。
【図５】本実施例における受電装置の動作フローチャートである。
【発明を実施するための形態】
【００１２】
（実施例１）
本実施例では、電力を送電する送電装置と電力を受電する受電装置を有する無線電力伝送システムについて説明する。本実施例では、第１受電装置に送電中の送電装置に第２受電装置を置いても第２受電装置の内部回路の電圧が意図していない範囲で上昇することを低減するためにインピーダンス制御を行う。なお、本実施例における送電装置は、複数の受電装置に同時に送電できる機能を有する。
【００１３】
本実施例における無線電力伝送システムは無線電力伝送に係る状態を示す複数のフェーズを有する。本実施例における受電装置の状態遷移を図１に示す。同図において、１０１はスタートフェーズ、１０２は認証フェーズ、１０３は受電フェーズを示す。スタートフェーズでは、送電装置と受電装置との間で電力の送受が行われていない状態である。スタートフェーズでは、受電装置は、受電した電力を自装置の負荷に対して供給しておらず、受電装置の消費電力は微量もしくは０である。受電装置は、送電装置から送電された電力を検出すると認証フェーズに移行する。送電装置は、１台の受電装置も検出していない場合スタートフェーズで、受電装置に送電装置の検出するための電磁波を定期的に放射する。
【００１４】
認証フェーズでは、送電装置は受電装置に対して後述する受電フェーズにおける送電電力より小さい電力により受電装置に送電を行う。認証フェーズでは、受電装置は、送電装置から給電された電力を通信部により供給して動作させ、該通信部を介して送電装置と機器認証のための通信を行う。認証フェーズでは、受電装置は、受電した電力を通信部に供給しており、受電装置の消費電力は主に通信部により消費される電力である。受電装置は、認証フェーズにおける認証が成功した場合、受電（送電）フェーズに移行する。なお、受電装置は、認証フェーズにおける認証が失敗するとスタートフェーズ１０１に戻るものとする。
【００１５】
受電フェーズでは、送電装置は受電装置に対して認証フェーズにおける送電電力より大きい電力により受電装置に送電を行う。受電フェーズでは、受電装置は、送電装置から給電された電力を負荷に供給し、例えばバッテリを充電することに受電した電力を用いる。受電フェーズでは、受電装置の消費電力は主に負荷により消費される電力である。
【００１６】
続いて、本実施例における受電装置のハードウェア構成を図２に示す。図２において、２０１は、アンテナと特性インピーダンスにマッチングをとる素子を含む受電アンテナ部である。なお、受電アンテナ部２０１は、所望の共振周波数で共振するための共振回路が含まれている。２０２は受電アンテナ部２０１と後段の回路とのインピーダンス整合をとるための変換部２０２である。変換部２０２の詳細については図４を用いて後述する。２０３は受電アンテナ部２０１で受電した高周波電力を整流し直流を作る整流回路であり。２０４は整流回路２０３の出力と接続し、一定の電圧を出力するためのＤＣ−ＤＣ変換部である。２０５は、受電フェーズにおいて受電した電力を消費する負荷である。負荷２０５は、例えば、受電した電力を蓄電するバッテリであってよい。
【００１７】
２０６は受電装置を全体を制御する制御部である。ＣＰＵ、ＲＯＭ、ＲＡＭにより構成される。なお、ＣＰＵは、（Ｃｅｎｔｒａｌ  Ｐｒｏｃｅｓｓｉｎｇ  Ｕｎｉｔ）、ＲＡＭは、（Ｒａｎｄｏｍ  Ａｃｃｅｓｓ  Ｍｅｍｏｒｙ）、ＲＯＭは、（Ｒｅａｄ  Ｏｎｌｙ  Ｍｅｍｏｒｙ）である。制御部２０６による装置全体の制御は、ＣＰＵがＲＯＭに保持している制御プログラムをＲＡＭに読み込み、実行することで実現される。後述する図５に示すフローチャートに係る受電装置の動作は、制御部２０６が制御プログラムを実行することにより、各ハードウェアの制御、情報の演算および加工を行うことで実現される。
【００１８】
２０７は送電装置と間で無線電力伝送の制御を行う為の制御信号の送受信を行うためのチップおよびアンテナにより構成される通信部である。本実施例においては、通信部２０７は、Ｂｌｕｅｔｏｏｔｈ（登録商標）４．０規格（以後ＢＴ４．０という）に準拠した無線通信を行う。また、通信部２０７は無線ＬＡＮ（ＩＥＥＥ８０２．１１シリーズ）、ＮＦＣ（Ｎｅａｒ  Ｆｉｅｌｄ  Ｃｏｍｍｕｎｃａｔｉｏｎ）等、他の通信規格に準拠した無線通信を行ってもよい。通信部２０４は、受電アンテナ部２０１とは異なる無線通信のためのアンテナを有している。
【００１９】
２０８は制御部２０６と通信部２０７とへの電力供給を制御するスイッチ部である。スイッチ部２０８は、制御部２０６および通信部２０７の電源を、認証フェーズではＤＣ−ＤＣ変換部２０４の入力側（整流回路２０３の出力）からとるようし、受電フェーズでは受電フェーズではＤＣ−ＤＣ変換部２０４の出力側からとるように切替える。これは、ＤＣ−ＤＣ変換部２０４はある一定以上の電圧がないと動作しないためであり、認証フェーズにおいても制御部２０６および通信部２０７が動作できるようＤＣ−ＤＣ変換部２０４の入力側（整流回路２０３の出力）から電源をとるようにするためである。２０９は制御部２０６が変換部２０２を制御するための制御信号を伝達するための第１制御信号線である。２１０は制御部２０６がスイッチ部２０８を制御する制御信号を伝達するための第２制御信号線である。２１１は制御部２０６と通信部２０７の間での通信信号を伝達するための通信線である。
【００２０】
続いて、変換部２０２詳細を図４に示す。図４において、４０１はスタートフェーズ及び認証フェーズにおいて受電アンテナ２０１と通信部２０７との間のインピーダンス変換を行うための第１インピーダンス変換回路である。第１インピーダンス変換回路４０１は、送電装置が受電フェーズにおいて送電される電力、受電装置の認証フェーズにおける消費電力および整流回路２０３の出力の耐圧に応じて設計される。例えば、自装置の受電アンテナと負荷との間でインピーダンス整合をとっている他の受電装置に対して送電を行っている送電装置の送電可能範囲に受電アンテナ２０１が位置した場合を考える。この場合に、第１インピーダンス変換回路４０１は、通信部２０７と制御部２０６の消費電力に対して十分な電力、かつ、整流回路２０３の出力の耐圧を下回る電圧上昇しか生じない電力しか受電しないインピーダンス値に変換する。４０２は受電フェーズにおいてインピーダンス変換を行うための第２インピーダンス変換回路である。第２インピーダンス変換回路４０２は、負荷２０５と受電アンテナ２０１との間でインピーダンス整合をとるためにインピーダンス変換を行う。４０３は、第１インピーダンス変換回路４０１からの出力を整流回路２０３に入力するか第２インピーダンス変換回路４０２からの出力を整流回路２０３に入力するかを制御部２０６からの指示に基づき切替えるスイッチである。
【００２１】
続いて、上述の構成を有する受電装置の受電動作について説明する。図５は、受電装置の制御部２０６が制御プログラムを実行することにより実現される受電装置の動作を示すフローチャートである。制御部２０６は、スタートフェーズにおいて受電アンテナ２０１が送電装置から供給された電力を検出した場合に該電力に基づいて受電動作を開始する（Ｓ５０１）。なお、スタートフェーズおよび認証フェーズにおいて制御部２０６および通信部２０７の電源をＤＣ−ＤＣ変換部２０４の入力側（整流回路２０３の出力）からとるように、スイッチ部２０８は制御線２１０を接続している。
【００２２】
また、スタートフェーズおよび認証フェーズにおいて変換部２０２は、第１インピーダンス変換回路４０１に接続されている。したがって、Ｓ５０１において検出した電力が受電フェーズの他の受電装置に送電している場合の比較的大きな電力であったとしても、制御部２０６および通信部２０７が消費する電力より必要以上に過剰に受電しないようになる。したがって、内部回路の一部で電圧が急上昇してしまうことが低減される。例えば、本実施例の受電装置が認証フェーズにおいては制御部２０６および通信部２０７は０．５Ｗを消費するものとする。また、本実施例の受電装置が、受電フェーズが負荷において５Ｗ消費するとする。ここで、第１受電装置に送電装置が５Ｗ送電している際に、第２受電装置が置かれた場合、第１受電装置は受電フェーズにおいて送電効率を効率化するために負荷と受電アンテナのインピーダンス整合が行われているものとする。この場合に、第２受電装置が送電装置の送電可能な範囲にユーザによって行われた場合受電装置を開始する。この場合、第２受電装置は、送電装置が送電している５Ｗから認証フェーズの認証のため０．５Ｗを受電するように変換部２０２は、インピーダンス制御を行う。したがって、第１受電装置は送電装置から送電される５Ｗのうち４．５Ｗ受電し、第２受電装置は０．５Ｗ受電するようになり、第２受電装置の内部回路の一部で電圧が急上昇してしまうことが低減される。また、第１受電装置においては、受電フェーズで受電中に第２受電装置が新たに受電を開始する場合、受電する電力が極端に低減されることがなくなるため受電効率が損なわれることが低減される。
【００２３】
図２の説明に戻り、送電装置からの送電に応じて制御部２０６と通信部２０７が動作可能となると、通信部２０７は、送電装置と通信を行うための無線リンクを確立する（Ｓ５０２）。制御部２０６は、無線リンク確立後、通信部２０７を介して送電装置と認証を行う（Ｓ５０３）。Ｓ５０３における認証では、例えば対応する無線電力伝送の規格が送受電装置間で対応するものがあるか否かを判定するために互いに対応する無線電力伝送の規格に関する情報を通信し、該通信した情報に基づいて認証を行う。また、例えば、送受電装置間で送受可能な電力が互いに対応するか否かを判定するために互いに送受可能な電力に関する情報を通信し、該通信した情報に基づいて認証を行う。また、例えば、送受電装置間で送受する電力のネゴシエーションのための情報を通信し、該通信した情報に基づいて認証を行う。
【００２４】
制御部２０６は、送電装置により行われた認証が成功したかを判定する（Ｓ５０４）。Ｓ５０４における判定は、制御部２０６が、通信部２０７を介して送電装置から認証が成功したことを示す情報が受信したかによって行われる。Ｓ５０４において認証が失敗したと判定された場合、終了する。なお、認証が失敗したと場合にユーザにエラー通知をおこなってもよい。Ｓ５０４において認証が成功したと判定された場合、制御部２０６は制御線２０９を介して変換部２０２に第１インピーダンス変換回路４０１から第２インピーダンス変換回路４０２に切替えるよう指示を出す。変換部２０２は、スイッチ４０３を制御し、接続を第１インピーダンス変換回路４０１から第２インピーダンス変換回路４０２に切替える（Ｓ５０５）。なお、受電装置は認証が成功した場合、受電フェーズに動作を切替える。
【００２５】
制御部２０６は、ＤＣ−ＤＣ変換部２０４の入力電圧をモニタし、送電装置から送電され受電した電力がＤＣ−ＤＣ変換部２０４が動作するための規定値を超えるかを判定する（Ｓ５０６）。Ｓ５０６において、制御部２０６は、規定値を超えていいないと判定された場合、Ｓ５０４による認証が成功してからの経過時間が所定値を超えたかを判定する（Ｓ５１１）。なお、Ｓ５１１における経過時間は、Ｓ５０５におけるインピーダンス回路の切り替えを起点として計測されてもよい。Ｓ５１１において、経過時間が所定値を超えた場合は、送電装置が何らかのエラーで受電装置に対して送電が行われていない状態であると考えられる。したがって、所定期間経過しても送電が開始されない場合（Ｓ５１１ＹＥＳ）は、後述するＳ５０９に処理を進め、スタートフェーズに移るための処理を行う。なお、Ｓ５１１において、経過時間が所定値を超えた場合は、送電が開始されないエラー状態であることを通知する構成として良い。Ｓ５１１において、経過時間が所定値を超えていない場合は、Ｓ５０６における処理を繰り返す。
【００２６】
Ｓ５０６において規定値を超えたと判定された場合、制御部２０６は、制御信号線２１０を介してスイッチ部２０８に、制御部２０６と通信部２０７の電源を切り替えるよう指示する（Ｓ５０７）。スイッチ部２０８は、制御部２０６からの指示に基づき、制御部２０６および通信部２０７の電源をＤＣ−ＤＣ変換部２０４の出力側からとるように接続を切替える。また、スイッチ部２０８は、ＤＣ−ＤＣ変換部２０４からの出力が負荷２０５に供給されるように接続を切替える。受電フェーズで受電した電力は負荷２０５に供給される。負荷２０５は供給された電力に基づいて動作する。例えば、負荷２０５がバッテリであれば、供給された電力を蓄電する充電動作を行う。
【００２７】
続いて、制御部２０６は、送電装置からの送電が終了するか否かを判定する（Ｓ５０８）。制御部２０６は、ＤＣ−ＤＣ変換部２０４の入力電圧をモニタし、電圧が規定値よりも低下したか否かで判定をおこなう。なお、Ｓ５０８の判定は、通信部２０７を介して送電の終了を示す情報を通信したかによって行われても良い、また、負荷２０５がバッテリであれば、満充電となった場合には送電を終了すると判断してよい。送電が終了すると判定された場合、制御部２０６は制御線２０９を介して変換部２０２に第２インピーダンス変換回路４０２から第１インピーダンス変換回路４０１に切替えるよう指示を出す。変換部２０２は、スイッチ４０３を制御し、接続を第２インピーダンス変換回路４０２から第１インピーダンス変換回路４０１に切替える（Ｓ５０９）。そして、制御部２０６は、制御信号線２１０を介してスイッチ部２０８に、制御部２０６と通信部２０７の電源を切り替えるよう指示する（Ｓ５１０）。スイッチ部２０８は、制御部２０６からの指示に基づき、制御部２０６および通信部２０７の電源をＤＣ−ＤＣ変換部２０４の入力側からとるように接続を切替える。また、スイッチ部２０８は、ＤＣ−ＤＣ変換部２０４からの出力が負荷２０５に供給されないように接続を切替える。
【００２８】
以上説明したように、本実施例における受電装置は、他の装置と無線電力伝送するためのアンテナ部と、アンテナを介して受電した電力を用いて前記他の装置と無線電力伝送における認証を行うための通信を行う通信部を備えることを前提としている。また、前記アンテナ部に接続され、インピーダンス変換を行う変換部を有し、受電装置の受電処理の消費電力で異なる複数のフェーズにおいて、装置の故障が生じないことために変換部によるインピーダンス変換を行う。変換部は、通信部による認証のための通信中は通信部において消費する電力に応じたインピーダンス変換を行う。認証が成功した場合、負荷が消費する電力に応じたインピーダンス変換を行うことを特徴としている。
【００２９】
このような構成を有することにより、認証フェーズ中の受電装置が、認証フェーズにおける消費電力より大きな電力を送電している送電装置の送電可能な範囲に配置されても、内部回路の一部で電圧が急上昇してしまうことが低減される。
【００３０】
（実施例２）
実施例１における受電装置は、認証フェーズにおいて動作する制御部２０６と通信部２０７における電源をＤＣ−ＤＣ変換部２０４の入力側（整流回路２０３の出力）からとるように構成した。これは、ＤＣ−ＤＣ変換部２０４が規定値の入力電力が無いと動作しないことを前提としたためである。しかしながら、ＤＣ−ＤＣ変換部２０４は何れの入力電圧であっても出力ができるように構成されていると制御部２０６と通信部２０７における電源をＤＣ−ＤＣ変換部２０４の入力側からとる必要が無い。実施例２においては、認証フェーズにおいて動作する回路の電源をＤＣ−ＤＣ変換部２０４の出力側からとる場合について説明を行う。
【００３１】
図３は、本実施例における受電装置のハードウェア構成である。図２と同一なものは、同一の符号を付す。実施例１と異なる点について説明を行う。本実施例２の受電装置は、負荷への電源供給を制御するスイッチ部３０１を有している。制御部２０６がスイッチ部３０１を制御する制御信号を伝達するための制御線３０２を有する。また、制御部２０６と通信部２０７における電源をＤＣ−ＤＣ変換部２０４の出力側からとる。本実施例の受電装置は、認証フェーズでは負荷２０５への給電を行わず、受電フェーズでは負荷２０５への給電を行うようにスイッチ部３０１を制御する。なお、その他の動作は実施例１と同様である。このように構成することで実施例１と同等な効果が奏することができるとともに、制御部２０６と通信部２０７における電源をＤＣ−ＤＣ変換部２０４の入力側からとる必要が無くなる。
【００３２】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015008619.tif 000003
【図２】
2015008619.tif 000004
【図３】
2015008619.tif 000005
【図４】
2015008619.tif 000006
【図５】
2015008619.tif 000007